【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
それぞれ相変化インクジェットプリンタ上で異なる位置を占める第１乃至第４送給チャネルに、固体インクスティック毎に装填して使用される複数種類の固体インクスティックを含む固体インクスティックセットであって、
少なくとも第１の側面と、第２の側面と、第３の側面とを有し、第１の側面に第１勘合要素が設けられた第１固体インクスティックと、
第１固体インクスティックと同じ数の側面を有し、第１固体インクスティックにおける第１勘合要素が配置された第１の側面に対応する同じ側面に第２勘合要素が設けられた第２固体インクスティックであって、第２固体インクスティックの前記同じ側面における第２勘合要素の位置が、第１固体インクスティックの第１の側面における第１勘合要素の位置から第１の距離をもってずれており、第１および第２固体インクスティックの対応側面上の前記勘合要素の位置以外では、第２固体インクスティックの複数の側面が形成する第２固体インクスティックの外周部が、第１固体インクスティックの複数の側面が形成する第１固体インクスティックの外周部に一致する、第２固体インクスティックと、
第１および第２固体インクスティックと同じ数の側面を有する第３固体インクスティックであって、第１固体インクスティックにおける第１勘合要素が配置された第１の側面と、第２固体インクスティックにおける第２勘合要素が配置された前記同じ側面とに対応する同じ側面に第３勘合要素が設けられ、第３固体インクスティックの前記同じ側面における第３勘合要素の位置が、第２固体インクスティックの側面における第２勘合要素の位置から第１の距離をもってずれており、かつ、第１固体インクスティックの第１の側面における第１勘合要素の位置から第２の距離をもってずれており、第１、第２、および第３固体インクスティックの対応側面上の前記勘合要素の位置以外では、第３固体インクスティックの複数の側面が形成する第３固体インクスティックの外周部が、第１固体インクスティックの複数の側面が形成する第１固体インクスティックの外周部と、第２固体インクスティックの複数の側面が形成する第２固体インクスティックの外周部とに一致する、第３固体インクスティックと、
第１、第２、および第３固体インクスティックと同じ数の側面を有する第４固体インクスティックであって、第１固体インクスティックにおける第１勘合要素が配置された第１の側面と、第２固体インクスティックにおける第２勘合要素が配置された前記同じ側面と、第３固体インクスティックにおける第３勘合要素が配置された前記同じ側面とに対応する同じ側面に第４勘合要素が設けられ、第４固体インクスティックの前記同じ側面における第４勘合要素の位置が、第３固体インクスティックの側面における第３勘合要素の位置から第１の距離をもってずれており、かつ、第２固体インクスティックの側面における第２勘合要素の位置から第２の距離をもってずれており、かつ、第１固体インクスティックの第１の側面における第１勘合要素の位置から第３の距離をもってずれており、第１の距離は第２の距離より小さく、第２の距離は第３の距離より小さく、第１、第２、第３、および第４固体インクスティックの対応側面上の前記勘合要素の位置以外では、第４固体インクスティックの複数の側面が形成する第４固体インクスティックの外周部が、第１固体インクスティックの複数の側面が形成する第１固体インクスティックの外周部と、第２固体インクスティックの複数の側面が形成する第２固体インクスティックの外周部と、第３固体インクスティックの複数の側面が形成する第３固体インクスティックの外周部とに一致する、第４固体インクスティックと、
を含む固体インクスティックセット。
【請求項２】
少なくとも３つの送給チャネルを有する相変化インクジェットプリンタに固体インクスティック毎に装填して使用される複数種類の固体インクスティックを含む固体インクスティックセットであって、
少なくとも３個の固体インクスティックを含み、それらの各固体インクスティックは、前記少なくとも３つの送給チャネルのうちの１つのみに装填されるための外形を有し、
前記固体インクスティックセットに含まれる各固体インクスティックは、前記固体インクスティックセットに含まれる他の各固体インクスティックと同じ寸法および形状の外周部を形成する少なくとも３つの側面を有し、
前記固体インクスティックセットに含まれる第１インクスティックは、側面に勘合要素を備え、その勘合要素は、前記固体インクスティックセットに含まれる他の各固体インクスティックの同じ側面に設けられた勘合要素に対応するが、ただし、前記固体インクスティックセットに含まれる各固体インクスティックの同じ側面における各勘合要素の位置は、前記固体インクスティックセットに含まれる他の固体インクスティックの少なくとも１つの同じ側面における少なくとも１つの他の勘合要素の位置から所定の距離をもってずれており、
各固体インクスティックの同じ側面に設けられた勘合要素の各位置によって、各固体インクスティックが、相変化インクジェットプリンタの１つの送給チャネルのみのキー付き装填口に挿入方向に沿って挿入できるようになっている、固体インクスティックセット。
【請求項３】
前記インクスティックそれぞれの勘合要素が互いにほぼ同一である、請求項２に記載の固体インクスティックセット。
【請求項４】
相変化インクジェットプリンタ用のインク送給システムであって、
少なくとも３つの送給チャネルと、
各送給チャネルの挿入端に設けられた固体インクスティック用装填口と、
を含み、
各固体インクスティック用装填口は、少なくとも３つの側面で形成された外周部を備えて構成され、各固体インクスティック用装填口の各外周部における同じ側面にキー開口部が設けられ、各キー開口部は、固体インクスティック用装填口の他の外周部の同じ側面に設けられたキー開口部から少なくとも所定の距離をもってずれており、それによって各キー開口部が、一つの固体インクスティック用装填口の外周部に対応する外周部と、その固体インクスティック用装填口の外周部に設けられた当該キー開口部に対応する位置に配置された勘合要素とを有する固体インクスティックのみを受容できるよう構成された、インク送給システム。
【手続補正２】
【補正対象書類名】明細書
【補正対象項目名】発明の名称
【補正方法】変更
【補正の内容】
【発明の名称】固体インクスティックセット及びインク送給システム
【手続補正３】
【補正対象書類名】明細書
【補正対象項目名】０００９
【補正方法】変更
【補正の内容】
【０００９】
本発明の固体インクスティックセットは、それぞれ相変化インクジェットプリンタ上で異なる位置を占める第１乃至第４送給チャネルに、固体インクスティック毎に装填して使用される複数種類の固体インクスティックを含む固体インクスティックセットであって、少なくとも第１の側面と、第２の側面と、第３の側面とを有し、第１の側面に第１勘合要素が設けられた第１固体インクスティックと、第１固体インクスティックと同じ数の側面を有し、第１固体インクスティックにおける第１勘合要素が配置された第１の側面に対応する同じ側面に第２勘合要素が設けられた第２固体インクスティックであって、第２固体インクスティックの前記同じ側面における第２勘合要素の位置が、第１固体インクスティックの第１の側面における第１勘合要素の位置から第１の距離をもってずれており、第１および第２固体インクスティックの対応側面上の前記勘合要素の位置以外では、第２固体インクスティックの複数の側面が形成する第２固体インクスティックの外周部が、第１固体インクスティックの複数の側面が形成する第１固体インクスティックの外周部に一致する、第２固体インクスティックと、第１および第２固体インクスティックと同じ数の側面を有する第３固体インクスティックであって、第１固体インクスティックにおける第１勘合要素が配置された第１の側面と、第２固体インクスティックにおける第２勘合要素が配置された前記同じ側面とに対応する同じ側面に第３勘合要素が設けられ、第３固体インクスティックの前記同じ側面における第３勘合要素の位置が、第２固体インクスティックの側面における第２勘合要素の位置から第１の距離をもってずれており、かつ、第１固体インクスティックの第１の側面における第１勘合要素の位置から第２の距離をもってずれており、第１、第２、および第３固体インクスティックの対応側面上の前記勘合要素の位置以外では、第３固体インクスティックの複数の側面が形成する第３固体インクスティックの外周部が、第１固体インクスティックの複数の側面が形成する第１固体インクスティックの外周部と、第２固体インクスティックの複数の側面が形成する第２固体インクスティックの外周部とに一致する、第３固体インクスティックと、第１、第２、および第３固体インクスティックと同じ数の側面を有する第４固体インクスティックであって、第１固体インクスティックにおける第１勘合要素が配置された第１の側面と、第２固体インクスティックにおける第２勘合要素が配置された前記同じ側面と、第３固体インクスティックにおける第３勘合要素が配置された前記同じ側面とに対応する同じ側面に第４勘合要素が設けられ、第４固体インクスティックの前記同じ側面における第４勘合要素の位置が、第３固体インクスティックの側面における第３勘合要素の位置から第１の距離をもってずれており、かつ、第２固体インクスティックの側面における第２勘合要素の位置から第２の距離をもってずれており、かつ、第１固体インクスティックの第１の側面における第１勘合要素の位置から第３の距離をもってずれており、第１の距離は第２の距離より小さく、第２の距離は第３の距離より小さく、第１、第２、第３、および第４固体インクスティックの対応側面上の前記勘合要素の位置以外では、第４固体インクスティックの複数の側面が形成する第４固体インクスティックの外周部が、第１固体インクスティックの複数の側面が形成する第１固体インクスティックの外周部と、第２固体インクスティックの複数の側面が形成する第２固体インクスティックの外周部と、第３固体インクスティックの複数の側面が形成する第３固体インクスティックの外周部とに一致する、第４固体インクスティックと、を含むことを特徴とする。
【手続補正４】
【補正対象書類名】明細書
【補正対象項目名】００１０
【補正方法】変更
【補正の内容】
【００１０】
本発明の固体インクスティックセットは、少なくとも３つの送給チャネルを有する相変化インクジェットプリンタに固体インクスティック毎に装填して使用される複数種類の固体インクスティックを含む固体インクスティックセットであって、少なくとも３個の固体インクスティックを含み、それらの各固体インクスティックは、前記少なくとも３つの送給チャネルのうちの１つのみに装填されるための外形を有し、前記固体インクスティックセットに含まれる各固体インクスティックは、前記固体インクスティックセットに含まれる他の各固体インクスティックと同じ寸法および形状の外周部を形成する少なくとも３つの側面を有し、前記固体インクスティックセットに含まれる第１インクスティックは、側面に勘合要素を備え、その勘合要素は、前記固体インクスティックセットに含まれる他の各固体インクスティックの同じ側面に設けられた勘合要素に対応するが、ただし、前記固体インクスティックセットに含まれる各固体インクスティックの同じ側面における各勘合要素の位置は、前記固体インクスティックセットに含まれる他の固体インクスティックの少なくとも１つの同じ側面における少なくとも１つの他の勘合要素の位置から所定の距離をもってずれており、各固体インクスティックの同じ側面に設けられた勘合要素の各位置によって、各固体インクスティックが、相変化インクジェットプリンタの１つの送給チャネルのみのキー付き装填口に挿入方向に沿って挿入できるようになっている、ことを特徴とする。
【手続補正５】
【補正対象書類名】明細書
【補正対象項目名】００１１
【補正方法】変更
【補正の内容】
【００１１】
本発明の固体インクスティックセットにおいて、前記インクスティックそれぞれの勘合要素が互いにほぼ同一である、こととしても好適である。
【手続補正６】
【補正対象書類名】明細書
【補正対象項目名】００１２
【補正方法】変更
【補正の内容】
【００１２】
本発明のインク送給システムは、相変化インクジェットプリンタ用のインク送給システムであって、少なくとも３つの送給チャネルと、各送給チャネルの挿入端に設けられた固体インクスティック用装填口と、含み、各固体インクスティック用装填口は、少なくとも３つの側面で形成された外周部を備えて構成され、各固体インクスティック用装填口の各外周部における同じ側面にキー開口部が設けられ、各キー開口部は、固体インクスティック用装填口の他の外周部の同じ側面に設けられたキー開口部から少なくとも所定の距離をもってずれており、それによって各キー開口部が、一つの固体インクスティック用装填口の外周部に対応する外周部と、その固体インクスティック用装填口の外周部に設けられた当該キー開口部に対応する位置に配置された勘合要素とを有する固体インクスティックのみを受容できるよう構成されたことを特徴とする。